(57)【要約】【課題】施設内を監視すること。【解決手段】施設内監視部１０５ａは、入退場チェック装置１０９からの出力に基づいて施設への入場者および施設からの退場者（入退場者）を検出して入退場者を監視し、施設の勤務者の勤怠管理を行い入退場者が施設の勤務者であるか否かを判定し、入退場者が施設の勤務者ではないと判定した場合には、その入退場者を監視し、入退場者が施設の勤務者であると判定した場合には、その勤務者を監視すると共にその勤務者の勤怠管理を行うように制御する。【選択図】図１
2008040937.tif 000002
【特許請求の範囲】
【請求項１】
施設への入場者および施設からの退場者（入退場者）を検出して前記入退場者を監視する監視手段と、
前記施設の勤務者の勤怠管理を行う勤怠管理手段と、
前記入退場者が前記施設の勤務者であることを入力する入力手段と、
前記入力手段で前記入退場者が施設の勤務者であることが入力された場合には、前記監視手段でその勤務者を監視すると共に前記勤怠管理手段でその勤務者の勤怠管理を行い、前記入力手段で前記入退場者が施設の勤務者であることが入力されない場合には、前記監視手段でその入退場者を監視するように制御する制御手段とを備えることを特徴とする施設内監視システム。
【請求項２】
請求項１に記載の施設内監視システムにおいて、
前記入力手段で前記入退場者が施設の勤務者であることが入力されない場合には、前記監視手段によって検出された前記入退場者の保護者に対して、前記施設内への被保護者の入退場があった旨を通知する通知手段をさらに備えることを特徴とする施設内監視システム。
【請求項３】
請求項２に記載の施設内監視システムにおいて、
前記通知手段は、前記監視手段によって同一人物による前記施設への入場が所定時間内に複数回あったことが検出された場合には、その人物の最初の入場時のみ前記通知を行うことを特徴とする施設内監視システム。
【請求項４】
請求項１〜３のいずれか一項に記載の施設内監視システムにおいて、
前記監視手段による監視結果に基づいて、前記施設への入退場状況一覧を作成する作成手段をさらに備えることを特徴とする施設内監視システム。
【発明の詳細な説明】
【技術分野】
【０００１】
本発明は、施設内を監視する施設内監視システムに関する。
【背景技術】
【０００２】
従来、子供や老人などの被保護者が施設に入室した情報および施設から退室した情報を記録すると共に保護者に通知する入退室記録通知システムが知られている。（例えば、特許文献１）。
【０００３】
【特許文献１】特開２００６−１８４０７号公報
【発明の開示】
【発明が解決しようとする課題】
【０００４】
しかしながら、従来のシステムにおいては、施設を利用する被保護者の入退室情報のみを記録しており、システムを有効に活用できていなかった。
【課題を解決するための手段】
【０００５】
本発明による施設内監視システムは、施設への入場者および施設からの退場者（入退場者）を検出して入退場者を監視し、入退場者が施設の勤務者であることを入力し、入退場者が施設の勤務者であることが入力された場合には、その勤務者を監視すると共にその勤務者の勤怠管理を行い、入退場者が施設の勤務者であることが入力されない場合には、その入退場者を監視するように制御することを特徴とする。
このとき、入退場者が施設の勤務者であることが入力されない場合には、検出された入退場者の保護者に対して、施設内への被保護者の入退場があった旨を通知することが好ましく、同一人物による施設への入場が所定時間内に複数回あったことが検出された場合には、その人物の最初の入場時のみ通知を行うことが好ましい。
また、監視結果に基づいて施設への入退場状況一覧を作成するようにしてもよい。
【発明の効果】
【０００６】
本発明によれば、入退場者が勤務者である場合には、施設への入退場チェックと共に施設の勤務者の勤怠管理も行ってシステムを有効活用することができる。
【発明を実施するための最良の形態】
【０００７】
本実施の形態では、施設内監視システムを幼稚園内を監視するために使用する場合について説明する。図１は、本実施の形態における施設内監視システムの一実施の形態の構成を示すブロック図である。施設内監視システム１００は、ＩＣタグ１０１と、ＩＣタグ受信機１０２と、カメラ１０３と、マイク１０４と、制御装置１０５と、モニタ１０６と、携帯ポータブル端末１０７と、ＨＤＤ１０８と、入退場チェック装置１０９と、通信装置１１０と、情報提供用サーバ２００とで構成される。
【０００８】
ＩＣタグ１０１は、幼稚園の保育士（先生）および園児が身に着ける名札に装着されている。すなわち、図１ではＩＣタグ１０１を代表して１つのブロックで表しているが、実際には保育士および園児の人数分の複数のＩＣタグ１０１が施設内監視システム１００に含まれる。
【０００９】
ＩＣタグ１０１には、それぞれのＩＣタグ１０１を一意に識別するためのタグ番号が付加されており、このタグ番号でＩＣタグ１０１を所持している人物を特定できるようになっている。具体的には、各保育士および園児がそれぞれ所持しているＩＣタグ１０１のタグ番号をそれぞれを所持している人物と対応付けたタグ管理情報が後述するＨＤＤ１０８にあらかじめ記録されている。そして、後述する制御装置１０５が有する施設内監視部１０５ａは、ＩＣタグ受信機１０２で読み取ったＩＣタグ１０１のタグ番号に基づいて、そのＩＣタグ１０１の所持者が誰であるかを特定する。
【００１０】
ＩＣタグ受信機１０２は、園舎内の床下および園庭の地中に所定の間隔を空けて（例えば１ｍおきに）碁盤の目状に埋め込まれて設置される。また、ＩＣタグ受信機１０２は、後述する入退場チェック装置１０９にも搭載されている。すなわち、このＩＣタグ受信機１０２も図１では代表して１つのブロックで表しているが、実際には複数のＩＣタグ受信機１０２が施設内監視システム１００に含まれている。また、各ＩＣタグ受信機１０２には、それぞれのＩＣタグ受信機１０２を一意に識別するための受信機番号が付加されている。そして、各ＩＣタグ受信機１０２の設置位置と受信機番号と対応付けた受信機管理情報が後述するＨＤＤ１０８に記録されている。
【００１１】
床下および地中に埋め込まれているＩＣタグ受信機１０２は、保育士や園児が各ＩＣタグ受信機１０２の上を通過すると、通過した人物が身に着けているＩＣタグ１０１から無線通信によりＩＣタグ情報を読み込んで、そのタグ情報と自身の受信機番号とを制御装置１０５へ出力する。制御装置１０５では、後述するように、タグ情報に含まれるタグ番号に基づいてその人物を特定し、さらに受信機番号に基づいてその受信機の設置位置を特定することで、園内で誰がどこにいるかを特定することができる。
【００１２】
すなわち、施設内監視部１０５ａは、ＩＣタグ受信機１０２で取得したタグ情報、およびタグ情報を取得したＩＣタグ受信機１０２の位置情報に基づいて、監視対象の人物である保育士および園児の園内における所在位置を特定することができる。
【００１３】
カメラ１０３は、その撮影範囲が園内全体を網羅するように、園内の壁や柱に複数台設置される。ここでは、カメラ１０３として広角レンズを備えた高画質ビデオカメラ（広角カメラ）を用い、園庭、廊下および各部屋内の全体を撮影できるように設置される。例えば、各部屋には２〜３台の広角カメラを設置することで、部屋全体の映像を取得することができる。
【００１４】
カメラ１０３の各設置位置における設置高さおよび設置角度は可変である。例えば、カメラ１０３は、図２に示すような、設置高さおよび設置角度を変更するための機構を備えており、撮影対象の園児の身長に応じて、園児の顔を撮影できる高さおよび角度に調節することができる。すなわち、被写体に応じてカメラ１０３の設置高さおよび角度を変更することができる。なお、本実施の形態では、カメラ１０３が設置されている部屋を使用する園児の身長に応じて、最適な高さおよび角度に設定されているものとする。
【００１５】
また、お遊戯室などのように、時間によってその部屋を使用する園児が異なる場合には、あらかじめその部屋の使用スケジュールを登録しておき、その部屋の使用スケジュールに基づいて部屋を使用する園児の平均的な身長を特定し、園児の身長に合わせた高さにカメラ１０３の設置高さおよび設置角度を調整するようにしてもよい。
【００１６】
さらに、玄関や廊下などのように、様々な身長の園児が使用することがあらかじめわかっている場所では、全ての園児の撮影に対応するために、カメラ１０３の設置高さを概ね２ｍ程度とすることが好ましい。また、カメラ１０３の設置角度は、園児が投げたもの等が引っかからないように、斜め下向きに設定されている。なお、後述するように、カメラの設置高さおよび設置角度は、施設内監視部１０５ａによって適宜変更される。
【００１７】
カメラ１０３は、園児によるいたずら防止のために、透明のいらずら防止箱で周囲を覆われて保護されている。各カメラ１０３によって撮影された映像は、リアルタイムで制御装置１０５へ出力される。なお、トイレのようなカメラ１０３の設置に適さない場所は、カメラ１０３の設置を行わないようにする。
【００１８】
マイク１０４は、その集音範囲が園内全体を網羅するように複数台設置される。各マイク１０４を介して入力された音声は、リアルタイムで制御装置１０５へ出力される。なお、マイク１０４はカメラ１０３に内蔵するようにしてもよい。全てのカメラ１０３およびマイク１０４は、各機器に一意に付加されたカメラ番号およびマイク番号によって識別可能であり、各カメラおよびマイクの設置位置は、後述するＨＤＤ１０８内にカメラ番号およびマイク番号と対応付けて記録されている。
【００１９】
携帯ポータブル端末１０７は、各保育士がそれぞれ１つずつ携帯し、例えば腕時計型の無線通信機器である。保育士は動きが激しいため、いつでも簡単に所持できるようにこのような腕時計型とすることが好ましい。携帯ポータブル端末１０７は、制御装置１０５からの出力内容を文字で表示できるようにカラー液晶モニタなどのモニタを備えている。なお、制御装置１０５からの出力内容を数字や記号などによって表示する場合には、白黒液晶モニタを搭載するようにしてもよく、あるいはＬＥＤ等を点灯させて出力内容を通知するようにしてもよい。
【００２０】
図３（ａ）および図３（ｂ）は、それぞれ携帯ポータブル端末１０７の一例を示す図である。これらの携帯ポータブル端末１０７は、画面内に表示されるメニューを操作するための操作ボタン３ａ〜３ｃを備えている。しかしながら、携帯ポータブル端末１０７を腕時計型にした場合には、本体自体のサイズが小さいため、操作ボタン３ａ〜３ｃも小さくなってしまい操作しづらい可能性がある。このため、操作ボタン３ａ〜３ｃの代わりに画面にタッチパネルを採用することも考えられるが、この場合も画面が小さいため操作しづらい可能性がある。
【００２１】
これを回避するために、サイズが小さくても操作が容易なジョグダイヤル３ｄを別途搭載するようにしてもよい。なお、ジョグダイヤル３ｄは、園児が誤って触れてしまった場合など、誤操作が発生しやすいという欠点がある。したがって、ダイヤルのロック及び解除を容易に行うことができるような仕組みを備えておく必要がある。例えば、ジョグダイヤル３ｄの長押しによりロックと解除を切り替えられるようにしたり、あるいは園児が誤って振れないようにワンタッチ開閉式のカバーをジョグダイヤル３ｄを覆うように設けるようにする。
【００２２】
また、携帯ポータブル端末１０７には、図３（ｂ）に示すように、スピーカー３ｅを搭載しておき、制御装置１０５からの出力内容を音声で通知するようにしてもよい。この他、携帯電話に搭載されているバイブレーション機能を搭載し、携帯ポータブル端末１０７を振動させることによって制御装置１０５からの出力内容を通知するようにしてもよい。
【００２３】
通信装置１１０は、電話回線やインターネット回線に接続され、あらかじめＨＤＤ１０８に登録されている園児の自宅や緊急連絡先に電話をかけたり、あるいはインターネットを介して接続された後述する情報提供用サーバ２００と通信を行ったりすることができる。
【００２４】
制御装置１０５は、例えばパソコンやサーバなどのコンピュータ装置であり、園内の複数箇所に設置されたＩＣタグ受信機１０２、カメラ１０３、マイク１０４、および後述する入退場チェック装置１０９とは、園内に敷設されたＬＡＮ等を介して接続されている。また、モニタ１０６およびＨＤＤ１０８は所定のインターフェースを介して接続され、携帯ポータブル端末１０７とは無線ＬＡＮなどの無線通信回線を介して接続されている。
【００２５】
この制御装置１０５は、施設内監視部１０５ａと、情報提供部１０５ｂとを機能的に有している。施設内監視部１０５ａは、ＩＣタグ受信機１０２からタグ情報と受信機番号の入力があった場合に、上述したようにＨＤＤ１０８に記録されているタグ管理情報に基づいて、入力されたタグ情報に含まれるタグ番号のＩＣタグ１０１を所持する人物を特定して、そのＩＣタグ受信機１０２の設置位置に存在する人物を特定する。さらに施設内監視部１０５ａは、ＨＤＤ１０８に記録されている受信機情報に基づいて、入力された受信機番号のＩＣタグ受信機１０２の設置位置を特定して、特定した人物が園内のどこにいるかを特定する。
【００２６】
そして、施設内監視部１０５ａは、各園児の所在位置に基づいて、集団から離れている園児がいると判定した場合には、モニタ１０６に警告を表示すると共に、携帯ポータブル端末１０７へ出力して保育士に警告内容を通知する。この場合、集団から離れている園児がトイレに行っている場合や早退した場合など、保育士がその理由を把握している場合には、保育士は携帯ポータブル端末１０７上で警告を解除することができる。
【００２７】
また、保育士は、園児がトイレに行く場合、または早退する場合などには、その旨を携帯ポータブル端末１０７上であらかじめ入力することができる。当該入力情報は制御装置１０５へ送信され、施設内監視部１０５ａは、その園児の警告モードをトイレモードまたは早退モードに設定し、その園児が集団から離れた場合でも警告を行わないようにする。すなわち、これらの理由によって施設内に異常が発生しても警告を行わないように、警告の対象から除外するようにする。これによって、園児が集団から離れる理由を保育士があらかじめ把握している場合には、無用な通知を行わないようにすることができる。
【００２８】
このように、保育士が携帯ポータブル端末１０７の操作を行っているときに、施設内監視部１０５ａからさらに通知があった場合には、保育士が操作の途中であっても警告画面を割り込み表示する。このとき、警告内容に優先度を設定しておき、優先度の高い警告内容を含む通知があった場合には割り込みを行い、優先度の低い警告内容を含む通知があった場合には割り込みを行わないようにしてもよい。また、割り込みがあったときに保育士がその警告を解除した場合には、保育士が操作中だった元の画面に戻す。
【００２９】
なお、保育士によって園児の警告モードがトイレモードに設定された後、園児が再び戻ってきたことを検出したときには、施設内監視部１０５ａは、自動的にトイレモードを解除する。また、保育士が手動で解除することもできる。このとき、トイレモードが所定時間、例えば１０分継続した場合、すなわち園児が１０分間経過しても園児が戻らない場合には、施設内監視部１０５ａは、携帯ポータブル端末１０７に改めて通知する。
【００３０】
施設内監視部１０５ａはまた、所定時間以上同じ場所から移動していない園児がいる場合、またはタグ情報の入力がなくなった園児がいる場合には、携帯ポータブル端末１０７を介して保育士に通知する。例えば、園児が所定時間以上同じ場所から移動していない場合には、その園児は倒れているなどの非常事態が発生している可能性があることから、施設内監視部１０５ａは、その場所から最も近い位置にいる保育士に対して通知する。また、タグ情報の入力がなくなった場合には、その園児は無断で園外に出てしまった可能性があることから、最後にタグ情報を受信したＩＣタグ受信機１０２の設置位置に最も近い位置にいる保育士に対して通知する。なお、タグ情報の入力がなくなった後、すぐに（例えば１分以内に）タグ情報の入力が再開された場合には、施設内監視部１０５ａは通知しないようにする。
【００３１】
図４（ａ）は、ある園児が所持するタグ情報の入力がなくなった場合に、携帯ポータブル端末１０７に表示される警告画面の具体例を示した図である。警告画面上には、警告の内容を示す警告メッセージ４ａ、警告の発生原因となった園児の顔写真４ｂ、了解ボタン４ｃ、およびＨＥＬＰボタン４ｄが表示されている。なお、園児の顔写真４ｂは、あらかじめ撮影されてＨＤＤ１０８に記録されており、施設内監視部１０５ａは、タグ情報の入力がなくなった園児の顔写真をＨＤＤ１０８から読み込んで携帯ポータブル端末１０７へ送信する。
【００３２】
このような警告を受けた保育士は、すぐに現場に駆けつけられる場合には、了解ボタン４ｃを選択して応答する。携帯ポータブル端末１０７は、保育士によって了解ボタン４ｃが選択された旨を制御装置１０５へ送信し、施設内監視部１０５ａは、警告を解除した後、その保育士からの現場状況の連絡を待つ。一方、すぐに現場に駆けつけられない場合には、警告を受けた保育士はその警告内容（通知内容）を他の保育士に転送するためにＨＥＬＰボタン４ｄを選択する。保育士によって、ＨＥＬＰボタン４ｄが選択された場合には、携帯ポータブル端末１０７の表示が図４（ｂ）のように切り替わる。この図４（ｂ）に示す画面上には、デフォルトボタン４ｅおよび出勤している保育士一覧ボタン４ｆが表示されている。
【００３３】
保育士がデフォルトボタン４ｅを選択した場合には、その旨が制御装置１０５へ送信され、施設内監視部１０５ａは、この保育士が現場に駆けつけられない場合に代わりに対応するようにあらかじめ設定されている他の保育士の携帯ポータブル端末１０７に同様の警告内容を通知する。これに対して、保育士が出勤している保育士一覧ボタン４ｆを選択した場合には、携帯ポータブル端末１０７上に出勤している保育士の一覧が表示され、保育士は代わりに対応を依頼する他の保育士を画面上で指定する。その指定結果は、制御装置１０５へ送信され、施設内監視部１０５ａは、指定された保育士の携帯ポータブル端末１０７に同様の警告内容を通知する。
【００３４】
代わりに通知を受けた保育士の携帯ポータブル端末１０７には、上述した図４に示す警告画面が表示される。代わりに通知を受けた保育士は、この通知を受けて、最初に通知を受けた保育士と同様に対応する。すなわち、すぐに現場に駆けつけられる場合には、了解ボタン４ｃを選択して応答し、すぐに現場に駆けつけられない場合には、ＨＥＬＰボタン４ｄを選択して、他の保育士に対応を依頼する。
【００３５】
了解ボタン４ｃを選択した保育士は現場で状況を確認した後、その状況を携帯ポータブル端末１０７上で入力する。例えば、園児が所定時間以上同じ場所から移動していないという内容の通知を受け、現場を確認した結果、単に園児が座って本を読んでいるだけであった場合など、特に異常が発生していない場合には「以上なし」と入力する。これに対して、園児が倒れていた場合には、その旨を入力し、その内容は制御装置１０５へ送信される。施設内監視部１０５ａは、園児が倒れている旨の入力がされた場合には、通信装置１１０を介して保護者および病院に自動的に連絡する。
【００３６】
また、園児が所持するタグ情報の入力がなくなったという内容の通知を受け、現場を確認した結果、園児の姿が見当たらない場合には、園児が無断で園外へ出て行ってしまった旨を携帯ポータブル端末１０７上で入力する。この場合には、施設内監視部１０５ａは、通信装置１１０を介して保護者および警備会社に自動的に連絡する。一方、その場所に園児がいる場合には、その園児が所持するＩＣタグ１０１が故障している可能性がある旨を携帯ポータブル端末１０７上で入力する。この場合には、施設内監視部１０５ａは、通信装置１１０を介してＩＣタグ１０１の製造メーカーに自動的に連絡し、修理を依頼する。
【００３７】
以上のように、施設内監視部１０５ａは、保育士から連絡されるその場の状況に基づいて連絡先（通知先）を変更することによって、トラブルの発生原因に応じた最適な連絡先へ自動的に連絡することができる。なお、トラブルの発生原因に対してあらかじめ優先順位を設定しておき、優先順位に応じて連絡先を変更するようにしてもよい。
【００３８】
施設内監視部１０５ａはさらに、ＩＣタグ受信機１０２からのタグ情報の受信状況と、カメラ１０３から入力される映像とに基づいて、園内に不審者がいないかを判定する。例えば、カメラ１０３の撮影範囲内に存在するＩＣタグ受信機１０２から入力されたタグ情報に基づいて、カメラ１０３の撮影範囲内にいる人物の人数を特定する。また、カメラ１０３から入力される映像の各フレームに対して画像処理を施して、各フレーム内に含まれる人物の人数を特定する。そして、これらの人数を比較して、人数が一致すれば不審者はいないと判定する。一方、人数が一致しない場合には、園内にＩＣタグ１０１を所持していない不審者がいると判定する。
【００３９】
施設内監視部１０５ａは、不審者がいると判定した場合には、映像内に含まれる最も背の高い人物の顔を撮影するように、カメラ１０３の設置高さおよび角度を変化させ、そのカメラによって撮影された映像をモニタ１０６に表示する。このように、映像内に含まれる最も背の高い人物の顔を撮影してモニタ１０６に表示するのは、一般的に園児に危害を及ぼす可能性がある不審者は大人であることが多いためである。これによって、園内にいる不審者を自動的に特定してモニタ１０６に表示することができ、監視者は園内への不審者の侵入をすぐに把握することができる。
【００４０】
同時に、施設内監視部１０５ａは、園内に不審者がいると判定した場合には、通信装置１１０を介してあらかじめ登録されている警備会社に自動的に連絡すると共に、携帯ポータブル端末１０７を介して保育士に通知する。ここでも、施設内監視部１０５ａは、トラブルの発生原因に応じた最適な連絡先へ自動的に連絡することができる。
【００４１】
施設内監視部１０５ａは、園内のいずれのＩＣタグ受信機１０２からもタグ情報を受信しない場合には、保育士および園児が全員帰宅し、園内には誰もいないと判定する。この場合には、施設内監視部１０５ａはカメラ１０３の設置高さを変化させてカメラ１０３を高い位置に移動し、カメラ１０３を防犯カメラとして使用するように制御する。すなわち、園児が園内にいるときには、園内の顔を撮影できる高さにカメラ１０３を移動させ、園内に誰もいないときには防犯カメラとして使用するためにカメラ１０３を高い位置に移動させる。これによって、園児がいる場合といない場合とで、カメラ１０３の用途を変更し、効率よく園内を監視することができる。
【００４２】
施設内監視部１０５ａはまた、全員が帰宅して園内には誰もいないと判定した場合には、以下に説明する入退場チェック装置１０９に搭載されたＩＣタグ受信機１０２以外のＩＣタグ受信機１０２の電源を全てオフするようにして夜間の消費電力を節約するようにしてもよい。この場合、翌朝、入退場チェック装置１０９に搭載されたＩＣタグ受信機１０２で最初にタグ情報を取得したときに、全てのＩＣタグ受信機１０２の電源をオンするようにすればよい。また、園内に防犯用の赤外線センサが設置されている場合には、夜間にはカメラ１０３の電源をオフしておき、赤外線センサによって不審者の侵入が検出された場合のみカメラ１０３の電源をオンして撮影および映像の保存を自動的に開始するようにしてもよい。
【００４３】
施設内監視部１０５ａは、入退場チェック装置１０９からの入力情報に基づいて、園内への人物の入場および退場をチェックして監視することもできる。ここで入退場チェック装置１０９について説明する。入退場チェック装置１０９は、幼稚園の門などの入口に設置されており、園内への入場者および園外への退場者が必ずこの入退場チェック装置１０９を通過するように配置されている。例えば、入退場チェック装置１０９をアーチ型とし、入場者および退場者が必ずアーチの下を通過するようにする。あるいは、入退場チェック装置１０９を駅の自動改札機のように設置し、入場者および退場者が必ず自動改札機内を通過するようにしてもよい。
【００４４】
入退場チェック装置１０９は、ＩＣタグ受信機１０２を搭載しており、入退場チェック装置１０９を通過する人物が所持するＩＣタグ１０１のタグ情報を読み取って、入場者および退場者のチェック（監視）を行う。入退場チェック装置１０９には、音声を入力するマイクおよび音声を出力するスピーカーを備えている。また、この入退場チェック装置１０９は、勤怠管理機能を備えており、保育士などの幼稚園に勤務する勤務者の勤怠管理を行うこともできる。
【００４５】
まず、入退場チェック装置１０９における入退場チェック機能について説明する。園内への入場者をチェックするに当たっては、ＩＣタグ１０１を装着した人物、例えば保育士や園児が園外から入退場チェック装置１０９に接近したときに、ＩＣタグ１０１からタグ情報を読み取って制御装置１０１に送信する。施設内監視部１０５ａは、入退場チェック装置１０９から送られてきたタグ情報がＨＤＤ１０８に記録されているタグ管理情報内にあれば、その人物は園内への入場を許可された人物であると判定し、その人物の名前を含む人物情報を入退場チェック装置１０９へ送信する。
【００４６】
そして、入退場チェック装置１０９は、その人物の名前をスピーカーを介して出力し、入場者からの返答を待つ。例えば「○○さん」という出力に対して、入場者からの「はい」という返答を待つ。入場者からの応答音声がマイクから入力されたことを検出した場合には、入退場チェック装置１０９は、入口の門を開け、入場者の園内への入場を許可する。一方、入場者から応答がない場合、あるいは門の前にいる入場者がすでに欠席届が提出されている園児などの場合には、門を開けずに入場を拒否する。
【００４７】
なお、本実施の形態では、入場者からの応答音声がマイクから入力されたことを検出した場合に門を開けるようにしたが、入場者からの応答音声に基づいて声紋解析を行って、その応答音声がＩＣタグ１０１を装着した入場者本人から発せられた声であることを確認した後に門を開けるようにしてもよい。
【００４８】
また、入退場チェック装置１０９は、園内側からタグ情報を読み取ったときは、退場者がいるものと判断して門を開ける。園外への退場者は、園内への入場者ほど厳密に監視する必要がないことから、このように本人確認等の処理を省略し、タグ情報の読み取りのみをもって門を開けるようにしている。退場者のＩＣタグ１０１から読み取ったタグ情報は、制御装置１０５へ送信される。
【００４９】
施設内監視部１０５ａは、入退場チェック装置１０９から入場者または退場者のタグ情報が入力され、その入退場者が園児であることを検出したときには、通信装置１１０を介して保護者に園児（被保護者）が入退場したことを知らせるお知らせメールを自動送信する。保護者のメールアドレスは、園児ごとにあらかじめＨＤＤ１０８に登録されており、施設内監視部１０５ａは、タグ情報から園児を特定し、その園児の保護者のメールアドレスを宛先に設定してお知らせメールを送信する。これによって、保護者は子供が無事に幼稚園に到着したこと、および子供が幼稚園を出発して家に向かっていることを知ることができる。
【００５０】
なお、施設内監視部１０５ａは、入退場チェック装置１０９からタグ情報が入力されていない園児のタグ情報が、園内に設置されたＩＣタグ受信機１０２から入力された場合には、その園児は前の園児に続いて入場してしまったなど、入退場チェック装置１０９による入場チェックを受けずに入場してしまったものと考えられる。よって、このような場合には、園内に設置されたＩＣタグ受信機１０２で初めて園児のタグ情報が入力された時点で、施設内監視部１０５ａは保護者にお知らせメールを送信するようにする。
【００５１】
また、園児は園内に入場した後、一旦園外に出て再度園内に入場することも考えられる。例えば、朝、園内に入場したにも関わらず、門の外に友達がいたので一旦外に出てしまい、その後、友達と一緒に再入場する場合や、保育士に連れられて園外に外出した後、再度園内に入場することが考えられる。このような場合には、園児が園内に入場する度にお知らせメールを送信する必要はないことから、本実施の形態では、園児が一日の内で最初に園内に入場したときのみ、お知らせメールを送信するようにする。
【００５２】
次に、入退場チェック装置１０９における勤怠管理機能について説明する。勤怠管理を行う必要がある人物、例えば保育士は、入退場チェック装置１０９に設置されている打刻ボタンを押すと、入退場チェック装置１０９が勤怠管理モードに切り替わる。保育士は、その状態で入退場チェック機能で上述した方法と同様の方法で園内に入場することによって、その入場時刻を出勤時刻として打刻することができる。すなわち、入退場チェック装置１０９は、勤怠管理モードに設定されている状態で受信したタグ情報を、その人物が入退場チェック装置１０９を通過した時刻情報と共に制御装置１０５へ出力する。そして、施設内監視部１０５ａは、ＨＤＤ１０８に記録されている保育士の勤怠管理情報に、タグ情報に基づいて特定した人物の出勤時刻を記録する。
【００５３】
また、保育士が帰宅する際には、そのまま入退場チェック装置１０９を通過することによって、自動的にそのタグ情報および通過時刻が制御装置１０５へ送信され、施設内監視部１０５ａは、ＨＤＤ１０８に記録されている保育士の勤怠管理情報に、タグ情報に基づいて特定した人物の退勤時刻を記録する。これによって、保育士の勤怠管理を簡易に行うことができる。
【００５４】
施設内監視部１０５ａは、入退場チェック装置１０９による入退場チェックの結果に基づいて、入退場状況の一覧を作成してモニタ１０６に表示する。なお、本実施の形態では、特に入退場状況に問題のある園児の一覧を作成してモニタ１０６に表示する例について説明する。ここで、入退場状況に問題のある園児としては、（１）欠席届が提出されていないにも関わらず入場していない園児、（２）欠席届が提出されているにも関わらず入場している園児、（３）遅刻届が提出されている場合に登園予定時刻を過ぎても入場していない園児、または登園予定時刻前に入場している園児、（４）早退届が出ていないにも関わらず終了時間前に退場した園児、（５）早退届が出ている場合に早退予定時刻を過ぎても退場していない園児が挙げられる。
【００５５】
なお、欠席届、遅刻届、および早退届は、保護者からの電話連絡に基づいて保育士がＨＤＤ１０８に登録してもよく、あるいは、後述する個人ページ上で保護者によって入力されたものを取り込んでＨＤＤ１０８に登録してもよい。施設内監視部１０５ａは、入退場チェック装置１０９による入退場チェックの結果と届けの提出状況とを比較して、入退場状況に問題のある園児の一覧を作成する。図５は、モニタ１０６に表示される入退場状況に問題のある園児の一覧の具体例を示す図である。このように、園児の名前、欠席届の提出状況、遅刻届の提出状況、早退届の提出状況、入退場状況、備考、および緊急連絡先が一覧表示される。
【００５６】
図５においては、園児Ａは、欠席届、遅刻届のいずれも提出されていないにも関わらず入場していないことを示している。また、園児ＢおよびＣは、欠席届が提出されているにも関わらず入場していることを示しており、園児Ｄは、１３時に登園予定である旨の遅刻届が提出されているにも関わらず、１３時を過ぎても入場していないことを示している。施設内監視部１０５ａは、このような入退場状況に問題のある園児に対しては、通信装置１１０を介して緊急連絡先に連絡すると共に、携帯ポータブル端末１０７を介して保育士に通知する。
【００５７】
図７は、施設内監視部１０５ａによる処理の流れを示すフローチャートである。図７に示す処理は、施設内監視システムによる園内の監視が開始されると起動する処理として施設内監視部１０５ａによって実行される。
【００５８】
ステップＳ１００において、入退場チェック装置１０９からの出力に基づいて、園内への入場者があるか否かを判断する。入場者がないと判断した場合には、後述するステップＳ１９０へ進む。これに対して、入場者があると判断した場合には、ステップＳ１１０へ進む。ステップＳ１１０では、上述したように、入退場チェック装置１０９から送られてきたタグ情報がＨＤＤ１０８に記録されているタグ管理情報内にあれば、その人物は園内への入場を許可された人物であると判定し、その人物の名前を含む人物情報を入退場チェック装置１０９へ送信する。その後、ステップＳ１２０へ進む。
【００５９】
ステップＳ１２０では、入退場チェック装置１０９が勤怠管理モードに設定されているかを判断する。勤怠管理モードに設定されてない場合には、園児が入場したものと判定してステップＳ１３０へ進み、保護者にお知らせメールを送信する。一方、勤怠管理モードに設定されている場合には、保育士などの勤務者が入場したものと判定してステップＳ１４０へ進み、その入場時刻を出勤時刻として打刻する。その後、ステップＳ１５０へ進む。
【００６０】
ステップＳ１５０では、入場した人物がその日の１人目の入場者であるか否かを判断する。１人目の入場者ではないと判断した場合には、後述するステップＳ１７０へ進む。一方、１人目の入場者であると判断し他場合には、ステップＳ１６０へ進み、カメラ１０３の設置高さおよび設置角度を上述した園児を監視するための高さおよび角度に変化させ、園内のＩＣタグ受信機１０２の電源を全てオンにして、ステップＳ１７０へ進む。ステップＳ１７０では、図５に示したような、入退場に問題のある園児一覧をモニタ１０６に表示して、ステップＳ１８０へ進む。
【００６１】
ステップＳ１８０では、入退場状況に問題のある園児について、通信装置１１０を介して緊急連絡先に連絡すると共に、携帯ポータブル端末１０７を介して保育士に通知する。その後、ステップＳ１９０へ進み、上述したように、集団から離れている園児、所定時間以上同じ場所から移動していない園児、タグ情報の入力がなくなった園児、および不審者等を検出して園内を監視して、ステップＳ２００へ進む。ステップＳ２００では、園内の監視結果に基づいて、園内にトラブルが発生しているか否かを判断する。トラブルが発生していないと判断した場合には、後述するステップＳ２７０へ進む。
【００６２】
これに対して、トラブルが発生したと判断した場合には、ステップＳ２１０へ進み、携帯ポータブル端末１０７に警告内容を通知する。その後、ステップＳ２２０へ進み、保育士によって、携帯ポータブル端末１０７上で了解ボタン４ｃが選択されたか否かを判断する。了解ボタン４ｃが選択されていないと判断した場合には、ステップＳ２３０へ進み、使用者による、デフォルトボタン４ｅまたは出勤している保育士一覧ボタン４ｆの選択状況に応じた他の保育士の携帯ポータブル端末１０７へ警告内容を通知する。これに対して、了解ボタン４ｃが選択されたと判断した場合には、ステップＳ２４０へ進んで警告を解除し、ステップＳ２５０へ進む。
【００６３】
ステップＳ２５０では、保育士からの現場状況の入力に基づいて、現場で異常が発生しているか否かを判断する。異常が発生していないと判断した場合には、後述するステップＳ２７０へ進む。一方、異常が発生していると判断した場合には、ステップＳ２６０へ進み、上述したように通信装置１１０を制御して、トラブルの発生原因に応じた連絡先へ自動的に連絡する。その後、ステップＳ２７０へ進む。
【００６４】
ステップＳ２７０では、入退場チェック装置１０９からの出力に基づいて、園内からの退場者があるか否かを判断する。退場者がないと判断した場合には、ステップＳ１００へ戻って処理を繰り返す。これに対して、退場者があると判断した場合には、ステップＳ２８０へ進む。ステップＳ２８０では、退場者が勤務者であるか否かを判断する。勤務者でない、すなわち園児であると判断した場合には、ステップＳ２９０へ進み、保護者にお知らせメールを送信する。これに対して、勤務者であると判断した場合には、ステップＳ３００へ進んで、その退場時刻を退社時刻として打刻し、ステップＳ３１０へ進む。
【００６５】
ステップＳ３１０では、ＩＣタグ受信機１０２からのタグ情報の受信状況を監視して、保育士および園児が全員帰宅したか否かを判断する。園内にまだ人が残っていると判断した場合には、ステップＳ１００へ戻って処理を繰り返す。これに対して、全員が帰宅したと判断した場合には、ステップＳ３２０へ進む。ステップＳ３２０では、カメラ１０３を防犯カメラとして使用するために高い位置に移動させる。また、入退場チェック装置１０９に搭載されたＩＣタグ受信機１０２以外のＩＣタグ受信機１０２の電源を全てオフする。その後、処理を終了する。
【００６６】
次に、情報提供部１０５ｂにおける処理について説明する。情報提供部１０５ｂは、園内での園児の様子を保護者が把握できるように、以下に説明する種々の情報を提供する。なお、本実施の形態における施設内監視システム１００では、保護者に情報を提供するための手段として、インターネット上に設置された専用の情報提供用サーバ２００に、例えば図６に示すような各園児ごとの個人ページを開設する。そして、情報提供部１０５ｂは、各園児に関する種々の情報を各園児ごとの個人ページにアップロードすることによって、保護者に対して園児に関する種々の情報を提供する。
【００６７】
保護者に提供される情報としては、園児の画像、園児の友好関係を表すグラフ、配布物のＰＤＦデータ、および保育士からの連絡事項などがある。まず、園児の画像の提供する方法について説明する。園児の画像は、カメラ１０３によって撮影された映像をトリミングして１時間に１回ずつ作成される。このために、情報提供部１０５ｂは、１時間の間に必ず１度は各園児が映像内に収まるようにカメラ１０３から映像を取得する。例えば、図８に示すようなフローに従って各園児の画像（配信用画像）を作成する。なお、図８に示す処理は、１時間を１サイクルとして実行される。
【００６８】
ステップＳ４００において、画像作成対象の園児を全園児に設定する。その後、ステップＳ４１０へ進み、複数のカメラ１０３から１フレームの画像を取得して、ステップＳ４２０へ進む。ステップＳ４２０では、施設内監視部１０５ａによって特定された園児の所在位置に基づいてその園児を撮影したカメラ１０３を特定し、そのカメラ１０３から取得した画像内に本当にその園児が写っているかを確認する。具体的には、取得した画像に対して公知の顔認識処理を実行して画像内にその園児の顔が写っているか否かを判断する。
【００６９】
画像内に園児の顔が写っていないと判断した場合には、ステップＳ４１０へ戻って処理を繰り返す。これに対して、画像内に園児の顔が写っていると判断した場合には、ステップＳ４３０へ進む。ステップＳ４３０では、画像内に写っている園児の顔を含む所定範囲の画像を切り出すことによってトリミングを行い、園児の画像を作成する。その後、ステップＳ４４０へ進み、作成した園児の画像を各園児用の個人ページへアップロードする。すなわち、通信装置１００を介して情報提供用サーバ２００に記憶された各園児の個人ページに掲載して、ステップＳ４５０へ進む。
【００７０】
ステップＳ４５０では、全園児の画像の作成および個人ページへのアップロードが完了したか否かを判断する。全園児に対する処理が完了していないと判断した場合にはステップＳ４６０へ進み、画像作成対象から画像の作成が完了した園児を除外して、ステップＳ４１０へ戻る。一方、全園児に対する処理が完了したと判断した場合には、処理を終了する。
【００７１】
なお、個人ページには、その園児の家族しかアクセスできないように、ページへのログイン時にパスワードの入力を求めるなどのアクセス制限がかけられているが、園児の写真内に他の園児が写り込んでしまう場合がある。よって、保護者には、プライバシー保護の観点から自分の子供が写っている写真を他の園児の家族も見る可能性があることにあらかじめ同意してもらう必要がある。どうしても同意が得られない場合には、同意が得られていない園児が他の園児の写真に写りこんでしまったときに、同意が得られていない園児の顔にモザイクをかけたり、その園児が画像内に含まれないようにトリミング範囲を調整したり、画像を拡大したりする。
【００７２】
個人ページにアップロードした写真は、サーバへの負荷を低減するため、およびプライバシー保護の観点から基本的には１日で削除するようにする。このとき、もし保護者が写真の長期間の保存を希望する場合には、別途料金の支払い等を条件に長期間の保存を認めるようにしてもよい。また、保護者が希望した場合、および園児の誕生日など特定のイベント発生時には、その日に撮影した園児の写真をＤＶＤに保存して販売したり、その日に撮影した園児の写真を電子アルバム化して販売したりしてもよい。このとき、各園児が所持するＩＣタグ１０１のタグ情報に園児の誕生日情報を含めておき、情報提供部１０５ｂは、このタグ情報に基づいて園児の誕生日を特定するようにしてもよい。
【００７３】
また、園児の誕生日には、カメラ１０３でその園児を撮影した映像をマイク１０４を介して入力された音声と共にＤＶＤに保存して販売してもよい。このとき、施設内監視部１０５ａによって特定される園児の所在位置に基づいて、園児の最も近くにあるカメラ１０３で撮影した映像を保存するように編集を行ってもよく、園児の最も近くにあるマイク１０４で取得した音声を映像に付加するようにしてもよい。
【００７４】
次に、園児の友好関係を表すグラフを提供する方法について説明する。情報提供部１０５ｂは、施設内監視部１０５ａによって各園児の所在位置が検出される度に、各園児の近くにいる園児、例えば各園児を中心として半径１ｍ以内にいる他の園児を検出し、当該他の園児が半径１ｍ以内にいる時間を他の園児ごとに計時する。そして、この計時結果を１日単位、１週間単位、または１ヶ月単位などの所定の期間ごとに集計して、各園児ごとに近くにいる時間が長い友人の上位者を抽出する。そして、情報提供部１０５ｂは、例えば図９に示すように、各園児ごとに近くにいる時間が長い友人の上位者を棒グラフで表した友好関係グラフを作成し、各園児用の個人ページへアップロードする。
【００７５】
この図９に示す例は、計時結果を１日単位に集計した場合の友好関係グラフであり、この園児の近くには、園児Ａが３時間、園児Ｂが２時間、園児Ｃが４０分いたことを示している。保護者は個人ページ上でこの友好関係グラフを閲覧することによって、自分の子供が誰と仲良くしているかを把握することができる。
【００７６】
配布物のＰＤＦデータおよび保育士からの連絡事項は、保育士が必要に応じて個人ページにアップロードする。配布物のＰＤＦデータについては、フォルダを作成して整理できるようにしてもよい。また、上述したように、保護者が個人ページ上で欠席届、遅刻届、および早退届を入力できるようにした場合には、その入力があったことをモニタ１０６に表示したり、携帯ポータブル端末１０７へ通知したりしてもよい。
【００７７】
その他、情報提供部１０５ｂは、施設内監視部１０５ａによって特定された園児の所在位置の時間変化を示す情報を提供するようにしてもよい。例えば、施設内監視部１０５ａによって特定された園児の所在位置の軌跡を園内の見取り図上に描画して表示した園児の移動軌跡図を個人ページにアップロードする。または、園児の写真が撮影された地点を園児の移動軌跡図上にアイコン表示するようにしてもよい。さらには、園児の移動軌跡に基づいて園児の一日の行動を自動的に文章化して表して、個人ページにアップロードするようにしてもよい。
【００７８】
以上説明した本実施の形態によれば、以下のような作用効果を得ることができる。
（１）入退場チェック装置１０９において、入退場者が園児の場合には入退場チェックのみを行い、入退場者が勤務者の場合には入退場チェックと共に勤怠チェックも行うようにした。これによって、入退場者に応じてチェックの内容を変化させ、入退場者に必要なチェックを自動的に行うことができる。
【００７９】
（２）園児が最初に園内に入場したときのみ、保護者にお知らせメールを送信するようにするようにした。これによって、園児は園内に入場した後、一旦園外に出て再度園内に入場した場合に、その都度お知らせメールが送信されることを防ぐことができ、頻繁にお知らせメールが届くことによって保護者が煩わしさを感じることを防止することができる。
【００８０】
（３）入退場状況に問題のある園児の一覧を作成してモニタ１０６に表示し、さらに入退場状況に問題のある園児に対しては、緊急連絡先に連絡すると共に携帯ポータブル端末１０７を介して保育士に通知するようにした。これによって、予定通り入場していない園児、または予定通り退場していない園児がいる場合に、そのような問題のある園児を容易に把握することができる。
【００８１】
（４）カメラ１０３の設置高さおよび設置角度を可変とし、被写体に応じてカメラ１０３の設置高さおよび角度を変更するようにした。これによって、カメラ１０３の設置高さおよび角度を被写体を的確に撮影するための高さおよび角度に調節することが可能になる。
【００８２】
（５）カメラ１０３の設置高さおよび設置角度を被写体の身長に応じて変更するようにした。これによって、年齢によって身長が異なる園児を的確に撮影するための高さおよび角度に調節することが可能になる。また、不審者が侵入した場合には、その不審者の身長に合わせた設置高さおよび角度とすることで、不審者の顔を的確に撮影することができる。
【００８３】
（６）カメラ１０３の設置高さおよび設置角度を部屋の使用スケジュールに基づいて変更するようにした。これによって、時間によってその部屋を使用する園児が異なる場合でも、その部屋を使用する園児の身長に合わせてカメラ１０３の設置高さおよび設置角度を調整することができる。
【００８４】
（７）園児が園内にいるときには、園内の顔を撮影できる高さにカメラ１０３を移動させ、園内に誰もいないときには防犯カメラとして使用するためにカメラ１０３を高い位置に移動させるようにした。これによって、園内の状況に応じてカメラ１０３を有効活用することができる。
【００８５】
（８）トラブルが発生した際には、現場を確認した保育士から連絡される現場の状況に基づいて連絡先を変更するようにした。これによって、トラブルの発生原因に応じた最適な連絡先へ自動的に連絡することができる。
【００８６】
（９）トラブルの発生原因に対してあらかじめ優先順位を設定しておき、優先順位に応じて連絡先を変更するようにした。これによって、トラブルの重要度に応じた連絡先へ自動的に連絡することができる。
【００８７】
（１０）保育士は、携帯ポータブル端末１０９を介して警告内容の通知を受けたとき、自分自身で現場に駆けつけられない場合には、ＨＥＬＰボタン４ｄを選択して、他の保育しに警告を転送することができるようにした。これによって、手が空いている保育士に対応を依頼して、早急に現場の確認および対応をとることができるようになる。
【００８８】
（１１）保育士は、園児がトイレに行く場合または早退する場合などには、その旨を携帯ポータブル端末１０７上であらかじめ入力することができるようにし、トイレモードまたは早退モードが設定されている園児が集団から離れた場合でも警告を行わないようにした。これによって、園児が集団から離れる理由を保育士があらかじめ把握している場合には、無用な通知を行わないようにすることができる。
【００８９】
（１２）保育士によって園児の警告モードがトイレモードに設定された後、園児が再び戻ってきたことを検出したときには、施設内監視部１０５ａは、自動的にトイレモードを解除するようにした。これによって、保育士による解除忘れを防止することができる。
【００９０】
（１３）カメラ１０３で撮影した映像に基づいて各園児の写真を作成し、個人ページにアップロードすることによって、園内における園児の写真を保護者へ配信するようにした。これによって、保護者は家にいながら幼稚園での子供の様子を確認することができる。
【００９１】
（１４）画像内に写っている園児の顔を含む所定範囲の画像を切り出すことによってトリミングして、園児の写真を作成するようにした。これによって、保護者は他の園児を含まない自分の子供のみが写った画像を閲覧することができる。
【００９２】
（１５）園児の画像の作成および配信は、１時間を１サイクルとして全園児について画像の作成および配信が完了するまで繰り返すようにした。これによって、個人ページ上の園児の画像を１時間に１回更新することができ、保護者は、常に子供の最新の状態を確認することができる。
【００９３】
（１６）カメラ１０３でその園児を撮影した映像をマイク１０４を解して入力された音声と共にＤＶＤに保存するようにし、このとき、園児の最も近くにあるカメラ１０３で撮影した映像に、園児の最も近くにあるマイク１０４で取得した音声を付加するようにした。これによって、園児の顔および声が鮮明に記録された映像を保存することができる。
【００９４】
（１７）各園児ごとに近くにいる時間が長い友人の上位者を棒グラフで表した友好関係グラフを作成し、各園児用の個人ページへアップロードして保護者へ配信するようにした。これによって、保護者は自分の子供が幼稚園で誰と仲良くしているかを把握することができる。
【００９５】
―変形例―
なお、上述した実施の形態の施設内監視システムは、以下のように変形することもできる。
（１）上述した実施の形態では、ＩＣタグ１０１は、幼稚園の保育士および園児が身に着ける名札に装着されている例について説明した。しかしながら、保育士や園児が身に着けるその他のもの、例えば帽子、内履き、外履き、服などに装着するようにしてもよい。
【００９６】
（２）上述した実施の形態では、施設内監視システム１００を幼稚園の園内を監視するために用いる例について説明したが、これに限定されず、小学校や老人ホームなどのその他の施設内を監視するために用いることも可能である。この場合、トラブルの発生原因に応じた最適な連絡先へ自動的に連絡するに当たっては、保育士に代えて施設の管理人に連絡するようにしてもよい。また、病院、警備会社、ＩＣタグの製造メーカ以外のその他の外部機関にも連絡するようにしてもよい。
【００９７】
なお、本発明の特徴的な機能を損なわない限り、本発明は、上述した実施の形態における構成に何ら限定されない。
【図面の簡単な説明】
【００９８】
【図１】施設内監視システムの一実施の形態の構成を示すブロック図である。
【図２】カメラ１０３の設置例を示す図である。
【図３】携帯ポータブル端末１０７の具体例を示す図である。
【図４】携帯ポータブル端末１０７に表示される警告画面の具体例を示した図である。
【図５】入退場状況に問題のある園児の一覧の具体例を示す図である。
【図６】個人ページの具体例を示す図である。
【図７】施設内監視部１０５ａによる処理の流れを示すフローチャート図である。
【図８】情報提供部１０５ｂによる処理の流れを示すフローチャート図である。
【図９】友好関係グラフ具体例を示す図である。
【符号の説明】
【００９９】
１００  施設内監視システム、１０１  ＩＣタグ、１０２  ＩＣタグ受信機、１０３  カメラ、１０４  マイク、１０５  制御装置、１０５ａ  施設内監視部，１０５ｂ  情報提供部，１０６  モニタ，１０７  携帯ポータブル端末，１０８  ＨＤＤ、１０９  入退場チェック装置、１１０  通信装置、２００  情報提供用サーバ
【図１】
2008040937.tif 000003
【図２】
2008040937.tif 000004
【図３】
2008040937.tif 000005
【図４】
2008040937.tif 000006
【図５】
2008040937.tif 000007
【図６】
2008040937.tif 000008
【図７】
2008040937.tif 000009
【図８】
2008040937.tif 000010
【図９】
2008040937.tif 000011